(57)【要約】【課題】従来技術の問題を解決する。【解決手段】駆動機構が、開放弾性部材と、作動部材と、保護装置とを含む。第２の家具部分が第１の家具部分に対して第１の方向に沿って閉塞位置からオーバープッシュ位置に移動させられると、開放弾性部材は、開放力を提供して、第２の家具部分を第２の方向に沿って開放位置に移動させるように構成される。保護装置は、遮断部材と、制御部材とを含む。第２の家具が第１の方向に沿って開放位置から閉塞位置に移動させられるプロセスの間に、遮断部材は、第２の家具部分が閉塞位置からオーバープッシュ位置に移動させられるのを防止するために、作動部材によって遮断されるよう第１の状態から第２の状態に移動させられる。【選択図】図１
2018192232.tif 000002
【特許請求の範囲】
【請求項１】
第１の家具部分と第２の家具部分とに適用可能な駆動機構であって、
前記第２の家具部分を第１の方向とは反対の第２の方向に沿って開放位置に移動させるために、前記第２の家具部分が前記第１の家具部分に対して前記第１の方向に沿って閉塞位置からオーバープッシュ位置に移動させられるときに、開放力を提供するように構成される、開放弾性部材と、
作動部材と、
該作動部材と相互作用するように構成される保護装置とを含み、
該保護装置は、
ベースと、
該ベースに取り付けられ、該ベースに対する第１の状態と第２の状態との間で移動可能である、遮断部材と、
前記ベースに取り付けられ、前記ベースに対する第１の制御状態と第２の制御状態との間で移動可能である、制御部材と、
前記遮断部材及び前記制御部材に弾性力を提供するように構成される弾性部材とを含み、
前記第２の家具部分が前記第１の家具部分に対して前記第１の方向に沿って前記開放位置から前記閉塞位置に移動させられるプロセスの間に、前記作動部材は、前記制御部材を前記第１の制御状態から前記第２の制御状態に移動させるように構成され、前記遮断部材は、前記第２の家具部分が前記閉塞位置から前記オーバープッシュ位置に移動させられるのを防止するために、前記作動部材によって遮断されるよう、前記制御部材によって前記第１の状態から前記第２の状態に移動させられ、
前記制御部材が前記第２の制御状態から前記第１の制御状態に切り換えられるときに、前記遮断部材は、前記第２の家具部分が前記閉塞位置から前記オーバープッシュ位置に移動させられるのを可能にするために、前記作動部材によって遮断されることなく、前記弾性部材によって前記第２の状態から前記第１の状態に移動させられる、
駆動機構。
【請求項２】
前記ベース及び前記遮断部材の一方は、収容室を有し、該収容室は、前記第２の状態から前記第１の状態に移動する前記遮断部材の動きを遅らせる制動材料で充填され、前記ベース及び前記遮断部材の他方は、少なくとも１つのリブを含み、前記収容室は、前記少なくとも１つのリブを収容するように構成される、請求項１に記載の駆動機構。
【請求項３】
回復弾性部材を更に含み、前記作動部材は、第１の案内構成を含み、前記制御部材は、第２の案内構成を含み、前記第２の家具部分が前記第１の家具部分に対して前記第１の方向に沿って前記開放位置から前記閉塞位置に近い位置に移動させられる最終プロセスの間に、前記回復弾性部材は、前記第２の家具部分を前記閉塞位置に向かって移動させる閉塞力を提供するように構成され、前記制御部材は、前記第１の案内構成と前記第２の案内構成との間の相互作用を通じて、前記第１の制御状態から前記第２の制御状態に移動させられる、請求項２に記載の駆動機構。
【請求項４】
前記第２の家具部分が前記閉塞位置に向かって移動させられる前記最終プロセスの間に制動効果を提供するように構成される制動装置を更に含み、前記第１の案内構成及び前記第２の案内構成の一方は、突起であり、前記第１の案内構成及び前記第２の案内構成の他方は、通路であり、該通路は、傾斜区画と、該傾斜区画と連通する直線区画とを有する、請求項３に記載の駆動機構。
【請求項５】
前記ベースに取り付けられる当接部材と、該当接部材に弾性力を提供するように構成される補助弾性部材とを更に含み、前記突起が前記通路の前記傾斜区画から所定の進行距離だけ前記直線区画に入るときに、前記作動部材は前記当接部材と接触するように構成される、請求項４に記載の駆動機構。
【請求項６】
家具システムに適用可能な保護装置であって、
ベースと、
該ベースに取り付けられ、該ベースに対する第１の状態と第２の状態との間で移動可能である、遮断部材と、
前記ベースに取り付けられ、前記ベースに対する第１の制御状態と第２の制御状態との間で移動可能である、制御部材と、
前記遮断部材及び前記制御部材に弾性力を提供するように構成される弾性部材とを含み、
当該保護装置が前記家具システムの作動部材に対して所定の方向に沿って所定の位置から閉塞位置に移動させられるプロセスの間に、前記作動部材は、前記制御部材を前記第１の制御状態から前記第２の制御状態に移動させ、前記遮断部材は、当該保護装置が前記作動部材に対して前記所定の方向に沿って前記閉塞位置からオーバープッシュ位置に移動させられるのを防止するために、前記作動部材によって遮断されるよう、前記制御部材によって前記第１の状態から前記第２の状態に移動させられ、
前記制御部材が前記第２の制御状態から前記第１の制御状態に移動させられるときに、前記遮断部材は、当該保護装置が前記作動部材に対して前記所定の方向に沿って前記閉塞位置から前記オーバープッシュ位置に移動させられるのを可能にするために、前記作動部材によって遮断されることなく、前記弾性部材によって前記第２の状態から前記第１の状態に移動させられる、
保護装置。
【請求項７】
前記ベース及び前記遮断部材の一方は、収容室を有し、該収容室は、前記第２の状態から前記第１の状態に移動する前記遮断部材の動きを遅らせる制動材料で充填され、前記ベース及び前記遮断部材の他方は、少なくとも１つのリブを含み、前記収容室は、前記少なくとも１つのリブを収容するように構成される、請求項６に記載の保護装置。
【請求項８】
前記作動部材は、第１の案内構成を含み、前記制御部材は、第２の案内構成を含み、当該保護装置が前記作動部材に対して前記所定の位置から前記閉塞位置に移動させられる前記プロセスの間に、前記制御部材は、前記第１の案内構成と前記第２の案内構成との間の相互作用を通じて、前記第１の制御状態から前記第２の制御状態に移動させられ、前記第１の案内構成及び前記第２の案内構成の一方は、突起であり、前記第１の案内構成及び前記第２の案内構成の他方は、通路であり、該通路は、傾斜区画と、該傾斜区画と連通する直線区画とを有する、請求項７に記載の保護装置。
【請求項９】
前記ベースに取り付けられる当接部材と、該当接部材に弾性力を提供するように構成される補助弾性部材とを更に含み、前記突起が前記通路の前記傾斜区画から所定の進行距離だけ前記直線区画に入るときに、前記作動部材は前記当接部材と接触するように構成される、請求項８に記載の保護装置。
【請求項１０】
家具システムの制御方法であって、
前記家具システムは、第１の家具部分と、第２の家具部分と、開放弾性部材とを含み、前記第２の家具部分は、前記開放弾性部材が開放力を放出して前記第２の家具部分を第１の方向とは反対の第２の方向に沿って開放位置に移動させるのを可能にするために、前記第１の方向に沿って閉塞位置からオーバープッシュ位置に移動させられるように構成され、
当該制御方法は、
ベースに取り付けられる制御部材と遮断部材とを提供するステップであって、前記遮断部材は、前記ベースに対する第１の状態と第２の状態との間で移動可能であり、前記制御部材は、前記ベースに対する第１の制御状態と第２の制御状態との間で移動可能である、ステップと、
作動部材を提供するステップと、
前記第２の家具部分が前記閉塞位置から前記オーバープッシュ位置に移動させられるのを防止するために、前記第２の家具部分が前記第１の方向に沿って前記開放位置から前記閉塞位置に向かって移動させられるときに、前記作動部材によって遮断されるよう、前記遮断部材を前記第１の状態から前記第２の状態に移動させるステップと、
前記第２の家具部分が前記閉塞位置から前記オーバープッシュ位置に移動させられるのを可能にするために、前記作動部材が前記制御部材を前記第２の制御状態から前記第１の制御状態に移動させた後の遅延時間の期間だけ前記作動部材によって遮断されることなく、前記遮断部材を前記第２の状態から前記第１の状態に移動させるステップとを含む、
制御方法。
【発明の詳細な説明】
【技術分野】
【０００１】
本発明は、駆動機構及び保護装置に関し、より具体的には、家具システムのための駆動機構、保護装置及び制御方法に関する。
【背景技術】
【０００２】
特許文献１は、閉塞位置にある引出がキャビネットに対して開くのを補助することができる（いわゆるプッシュオープン機能）並びに引出が開放位置から引込位置に動く最終プロセスの間に引出が自動閉塞するのを補助することができる（いわゆるセルフクローズ機能）、移動可能な家具部分のための自動装置を開示している。加えて、特許文献２は、プッシュオープン強度を調節することができる設定を開示している。２つの事例は参照として提供されている。
【０００３】
しかしながら、引出を開放位置から閉じるためにユーザによって加えられる力が強すぎると或いはユーザが引出をキャビネット内に押し込む力を止めることなく加え続けると、引出は、引出が（プッシュオープン設計の故に）再び開くよう、閉塞位置まで移動させられた後に、オーバープッシュ位置に更に移動させられることがある。そのような問題を解決するために、本発明が提供される。
【先行技術文献】
【特許文献】
【０００４】
【特許文献１】米国特許第８，１７２，３４５Ｂ２号明細書
【特許文献２】米国特許第８，３０８，２５１Ｂ２号明細書
【発明の概要】
【０００５】
本発明は、第２の家具部分が第１の方向に沿って開放位置から閉塞位置に第１の家具に対して閉塞されるときに、第２の家具部分が閉塞位置からオーバープッシュ位置に更に移動させられるのを防止することができる、駆動機構、保護装置及び制御方法に関する。
【０００６】
本発明の実施形態によれば、駆動機構が、第１の家具部分及び第２の家具部分に適用可能である。駆動機構は、開放弾性部材と、作動部材と、保護装置とを含む。開放弾性部材は、第２の家具部分を第１の方向とは反対の第２の方向に沿って開放位置に移動させるために、第２の家具部分が第１の家具部分に対して第１の方向に沿って閉塞位置からオーバープッシュ位置に移動させられるときに、開放力を提供するように構成される。保護装置は、作動部材と相互作用するように構成される。保護装置は、ベースと、遮断部材と、制御部材と、弾性部材とを含む。遮断部材は、ベースに取り付けられ、ベースに対する第１の状態と第２の状態との間で移動可能である。制御部材は、ベースに取り付けられ、ベースに対する第１の制御状態と第２の制御状態との間で移動可能である。弾性部材は、遮断部材及び制御部材に弾性力を提供するように構成される。その場合、第２の家具部分が第１の家具部分に対して第１の方向に沿って開放位置から閉塞位置に移動させられるプロセスの間に、作動部材は、制御部材を第１の制御状態から第２の制御状態に移動させるように構成され、遮断部材は、第２の家具部分が閉塞位置からオーバープッシュ位置に移動させられるのを防止するために、作動部材によって遮断されるよう、制御部材によって第１の状態から第２の状態に移動させられる。その場合、制御部材が第２の制御状態から第１の制御状態に切り換えられるときに、遮断部材は、第２の家具部分が閉塞位置からオーバープッシュ位置に移動させられるのを可能にするために、作動部材によって遮断されることなく、弾性部材によって第２の状態から第１の状態に移動させられる。
【０００７】
本発明の他の実施形態によれば、保護装置が家具システムに適用可能である。保護装置、ベースと、遮断部材と、制御部材と、弾性部材とを含む。遮断部材は、ベースに取り付けられ、ベースに対する第１の状態と第２の状態との間で移動可能である。制御部材は、ベースに取り付けられ、ベースに対する第１の制御状態と第２の制御状態との間で移動可能である。弾性部材は、遮断部材及び制御部材に弾性力を提供するように構成される。その場合、保護装置が家具システムの作動部材に対して所定の方向に沿って所定の位置から閉塞位置に移動させられるプロセスの間に、作動部材は、制御部材を第１の制御状態から第２の制御状態に移動させ、遮断部材は、保護装置が作動部材に対して所定の方向に沿って閉塞位置からオーバープッシュ位置に移動させられるのを防止するために、作動部材によって遮断されるよう、制御部材によって第１の状態から第２の状態に移動させられる。その場合、制御部材が第２の制御状態から第１の制御状態に移動させられるときに、遮断部材は、保護装置が作動部材に対して所定の方向に沿って閉塞位置からオーバープッシュ位置に移動させられるのを可能にするために、作動部材によって遮断されることなく、弾性部材によって第２の状態から第１の状態に移動させられる。
【０００８】
本発明の他の実施形態によれば、制御方法が家具システムに適用可能である。家具システムは、第１の家具部分と、第２の家具部分と、開放弾性部材とを含む。第２の家具部分は、開放弾性部材が開放力を放出して第２の家具部分を第１の方向とは反対の第２の方向に沿って開放位置に移動させるのを可能にするために、第１の方向に沿って閉塞位置からオーバープッシュ位置に移動させられるように構成される。制御方法は、ベースに取り付けられる制御部材と遮断部材とを提供するステップであって、遮断部材は、ベースに対する第１の状態と第２の状態との間で移動可能であり、制御部材は、ベースに対する第１の制御状態と第２の制御状態との間で移動可能である、ステップと、作動部材を提供するステップと、第２の家具部分が閉塞位置からオーバープッシュ位置に移動させられるのを防止するために、第２の家具部分が第１の方向に沿って開放位置から閉塞位置に向かって移動させられるときに、作動部材によって遮断されるよう、遮断部材を第１の状態から第２の状態に移動させるステップと、第２の家具部分が閉塞位置からオーバープッシュ位置に移動させられるのを可能にするために、作動部材が制御部材を第２の制御状態から第１の制御状態に移動させた後の遅延時間の期間だけ作動部材によって遮断されることなく、遮断部材を第２の状態から第１の状態に移動させるステップとを含む。
【０００９】
本発明のこれらの及び他の目的は、様々な図及び図面に例示する好適実施形態の以下の詳細な記述を読んだ後に当業者に疑義なく明らかになるであろう。
【図面の簡単な説明】
【００１０】
【図１】本発明の実施形態に従ったキャビネットと２つの引出とを含む家具システムを示す図である。
【図２】本発明の実施形態に従った引出のうちの１つを取り外した状態の家具システムを示す図である。
【図３】本発明に従った第１の家具部分及び第２の家具部分を含み、第１の家具部分及び第２の家具部分はスライドレールであり得る、家具システムを示す図である。
【図４】本発明の実施形態に従った家具システムの駆動機構の分解図である。
【図５】本発明の実施形態に従った家具システムの駆動機構を示す図である。
【図６】本発明の実施形態に従った駆動機構の分解図である。
【図７】本発明の実施形態に従った駆動機構を示す図である。
【図８】本発明の実施形態に従った保護装置の分解図である。
【図９】本発明の実施形態に従った保護装置を示す図である。
【図１０】本発明の実施形態に従った第１の状態にある保護装置を示す図である。
【図１１】本発明の実施形態に従った第２の状態にある保護装置を示す図である。
【図１２】本発明の実施形態に従った第３の状態にある保護装置を示す図である。
【図１３】本発明の実施形態に従った第１の状態に戻る保護装置を示す図である。
【図１４】本発明の実施形態に従った保護装置の構成を示す図である。
【図１５】本発明の実施形態に従った外力が加えられた保護装置を示す図である。
【図１６】本発明の実施形態に従った弾性力を放出する保護装置を示す図である。
【図１７】本発明の実施形態に従った閉塞位置に位置する家具システムの第２の家具部分を示す図である。
【図１８】本発明の実施形態に従ったオーバープッシュ位置に位置する家具システムの第２の家具部分を示す図である。
【図１９】本発明の実施形態に従った開放位置に位置する家具システムの第２の家具部分を示す図である。
【図２０】本発明の実施形態に従った第１の方向に沿って開放位置から第１の家具部分に対して閉塞される家具システムの第２の家具部分を示す図である。
【図２１】本発明の実施形態に従った第１の方向に沿って開放位置から第１の家具部分に対して更に閉塞される家具システムの第２の家具部分を示す図である。
【図２２】作動部材と接触する保護装置を示す図２１の領域Ａの拡大図であり、保護装置の制御部材及び遮断部材は第１の状態にある。
【図２３】本発明の実施形態に従った第２の状態にある保護装置の制御部材及び遮断部材を示す図である。
【図２４】本発明の実施形態に従った第３の状態にある保護装置の制御部材及び遮断部材を示す図である。
【図２５】本発明の実施形態に従った第１の状態に戻る保護装置の制御部材及び遮断部材を示す図である。
【図２６】本発明の実施形態に従った保護装置の制御部材及び作動部材の一方に対してオーバープッシュ位置に位置する保護装置の制御部材及び作動部材の他方を示す図である。
【図２７】本発明の実施形態に従った保護装置の当接部材と接触する作動部材を示す図である。
【図２８】本発明の実施形態に従った保護装置の当接部材と作動部材との間に形成される間隙を示す図である。
【発明を実施するための形態】
【００１１】
図１及び図２は、本発明の実施形態に従った、第１の家具部分２２と、第１の家具部分２２に対して長手方向に可動な第２の家具部分２４とを含む、家具システム２０を示す図面である。本実施形態において、第１の家具部分２２は、（固定レールのような）第１のレールであり、第２の家具部分２４は、（可動レールのような）第２のレールである。その上、第１のレールは、キャビネット２２ａに固定的に取り付けられ（第１のレール及びキャビネット２２ａは、１つのコンポーネントとして見られることができる）、第２のレールは、引出２４ａを支持するように構成される（第２のレール及び引出２４ａは、１つのコンポーネントとして見られることができる）。しかしながら、１つの実施形態において、第１の家具部分２２及び第２の家具部分２４は、それらに限定されない。
【００１２】
図３に示すように、第２の家具部分２４は、第１の家具部分２２に対して引込状態にある。家具システム２０は、駆動機構２６を更に含む。好ましくは、駆動機構２６は、第１の家具部分２２及び第２の家具部分２４の一方に配置される。本実施形態において、駆動機構２６は第２の家具部分２４に取り付けられているが、本発明はそれに限定されない。
【００１３】
図４及び図５に示されるように、駆動機構２６は、第１のコンポーネント２８と、第２のコンポーネント３０と、開放弾性部材３２と、保護装置３４と、回復弾性部材３６と、作動部材５２とを含む。好ましくは、駆動機構２６は、支持部材５４を更に含む。支持部材５４及び作動部材５２は、互いに対して移動可能である。
【００１４】
第１のコンポーネント２８及び第２のコンポーネント３０は、互いに対して移動可能である。例えば、第１のコンポーネント２８及び第２のコンポーネント３０の一方は、案内構造３８を有する。案内構造３８は、境界付けられた長手に細長い穴であり得る。そこでは、第２のコンポーネント３０を第１のコンポーネント２８に取り付け、第２のコンポーネント３０及び第１のコンポーネント２８が互いに対して長手に移動可能であるのを可能にするために、接続部材４０が、長手方向に細長い穴の一部を通じて貫通する少なくとも１つの接続部分４２を有する。好ましくは、第１のコンポーネント２８は、取付けベース４４を含む。取付けベース４４は、第１の制御部分４６を含む。第１の制御部分４６は、第１の長手区画４８ａと、第１の長手区画４８ａと連通し且つ第１の長手区画４８ａに対して曲げられた第１の屈曲区画４８ｂとを有する。他方、第２のコンポーネント３０は、係合構成５０を通じて第１の長手区画４８ａ及び第１の屈曲区画４８ｂの一方において移動可能である。係合構成５０は、係合ピンであり得る。
【００１５】
開放弾性部材３２は、第１のコンポーネント２８と第２のコンポーネント３０との間に弾性的に接続される。第２のコンポーネント３０は、支持部材５４の第２の当接部分５８に対応する位置に配置される第１の当接部分５６を有する。
【００１６】
保護装置３４は、作動部材５２と相互作用するように構成される。保護装置３４は、遮断部材５３と、制御部材５５とを含む。好ましくは、保護装置３４は、遮断部材５３及び制御部材５５を取り付けるベース５７を更に含む。ベース５７は、第１のコンポーネント２８に取り付けられる。例えば、ベース５７は、第１のコンポーネント２８に固定的に取り付けられる。
【００１７】
回復弾性部材３６は、作動部材（及び／又は支持部材５４）と第２のコンポーネント３０との間に弾性的に接続される。
【００１８】
好ましくは、駆動機構２６は、制動装置５９を更に含む。制動装置５９は、第１のコンポーネント２８に取り付けられる。例えば、制動装置５９は、第１のコンポーネント２８に固定され、制動装置５９は、ベース５７に隣接する。
【００１９】
図６及び図７に示すように、第１の制御部分４６に加えて、第１のコンポーネント２８の取付けベース４４は、第２の制御部分６０を更に含む。第２の制御部分６０及び第１の制御部分４６は、互いに離間させられている。具体的には、第２の制御部分６０は、第２の長手区画６２ａと、第２の長手区画６２ａと連通し且つ第２の長手区画６２ａに対して曲げられた第２の屈曲区画６２ｂとを有する。他方、作動部材５２及び支持部材５４は、（ピン部材のような）枢動構成６４によって互いに枢動させられる。好ましくは、支持部材５４は、少なくとも１つの第１の支持脚６６を有し、少なくとも１つの支持脚６６は、第２の制御部分６０の第２の長手区画６２ａに対応する位置に配置される。他方、作動部材５２は第２の支持脚６８を有し、第２の支持脚６８を第２の制御部分６０の第２の長手区画６２ａに対応する位置に配置し得る。好ましくは、作動部材５２は、互いに分離させられた第１の案内構成７０及び遮断構成７２を含む。本実施形態において、第１の案内構成７０は、突起であり得るし、遮断構成７２は、所定の高さを備える壁であり得る。好ましくは、作動部材５２は、捕捉部分７４を更に含む。例えば、捕捉部分７４は、フックである。
【００２０】
図８及び図９に示すように、保護装置３４の遮断部材５３は及び制御部材５５は、ベース５７に対して移動可能である。本実施形態において、遮断部材５３及び制御部材５５は、シャフト部材７６によってベース５７に対して枢動させられる。好ましくは、保護装置３４は、遮断部材５３及び制御部材５５に弾性力を提供するように構成される弾性部材７８を更に含む。例えば、弾性部材７８は、巻回部分８０と、巻回部分８０の２つの側にそれぞれ配置された第１の弾性部分８２及び第２の弾性部分８４とを有する。加えて、第１の弾性部分８２及び第２の弾性部分８４は、遮断部材５３及び制御部材５５にそれぞれ取り付けられる。
【００２１】
遮断部材５３は、遮断部分８６を含む。好ましくは、遮断部材５３及びベース５７の一方は、少なくとも１つの収容室８８を含む。加えて、遮断部材５３及びベース５７の他方は、少なくとも１つのリブ９０を含む。少なくとも１つの収容室８８は、少なくとも１つのリブ９０を収容するように構成され、少なくとも１つの収容室８８は、少なくとも１つのリブ９０よりも大きい。本実施形態において、遮断部材５３は、少なくとも１つの収容室８８を含み、ベース５７は、少なくとも１つのリブ９０を含む。好ましくは、駆動機構２６は、更に、ベース５７に取り付けられる当接部材９２と、当接部材９２に弾性力を提供するように構成される補助弾性部材９４とを含む。具体的には、ベース５７は、補助弾性部材９４を収容するように構成された取付け空間Ｓを有し、補助弾性部材９４の弾性力を通じて当接部材９２をベース５７から部分的に延出させることができる。
【００２２】
制御部材５５は、第２の案内構成９６を含む。具体的には、第２の案内構成９６は、通路である。通路は、傾斜区画９８ａと、傾斜区画９８ａと連通させられた直線区画９８ｂとを含む。本実施形態において、傾斜区画９８ａは、直線区画９８ｂに対して曲げられ、直線区画９８ｂは、長手に配置される。好ましくは、制御部材５５は、傾斜面又は円弧面を更に有する。本実施形態において、制御部材５５は傾斜面１００を有するが、本発明はそれに限定されない。
【００２３】
図１０に示すように、保護装置３４の遮断部材５３の収容室８８は、リブ９０を収容するように構成され、収容室８８は、制動材料Ｌで満たされている。（図１０乃至図１３において、制動材料Ｌは、複数の黒点として示されている）。例えば、制動材料Ｌは、液体又は油であり得る。好ましくは、弾性部材７８は、遮断部材５３及び制御部材５５に弾性力を提供する。更に、遮断部材５３は、ベース５７に対して第１の状態Ｓ１にあり、制御部材５５は、ベース５７に対して第１の制御状態Ｃ１にある。
【００２４】
図１１に示すように、力Ｆが制御部材５５に加えられると、制御部材５５はベース５７に対して回転させられて、第１の制御状態Ｃ１から第２の制御状態Ｃ２に動かされる。他方、遮断部材５３は、制御部材５５が第２の制御状態Ｃ２に動かされるのに応答して、第１の状態Ｓ１から第２の状態Ｓ２に回転するように駆動させられる。その間に、弾性部材７８は、弾性力を蓄積する。
【００２５】
図１１、図１２及び図１３に示すように、制御部材５５に加えられる力Ｆがもはや存在しないとき、制御部材５５は、弾性部材７８の弾性力に応答して、第２の制御状態Ｃ２から第１の制御状態Ｃ１に戻る。更に、制御部材が第２の制御状態Ｃ２から第１の制御状態Ｃ１に戻るプロセスの間に、遮断部材５３の収容室８８は、制動材料Ｌで満たされているので、第２の状態Ｓ２から第１の状態Ｓ１に動く遮断部材５３の動きは遅くさせられる。換言すると、遮断部材５３に加えられる弾性部材７８の弾性力は緩和される
【００２６】
図１４及び図１５に示すように、外力Ｆ１が当接部材９２に加えられると、補助弾性部材９４が弾性力を蓄積するよう、当接部材９２をベース５７の取付け空間Ｓ内に引っ込めて、補助弾性部材９４を押すことができる。
【００２７】
図１５及び図１６に示すように、外力Ｆ１がもはや存在しないとき、当接部材９４は、再び補助弾性部材９４の弾性力に応答して、ベース５７から部分的に延出することができる。
【００２８】
図１７に示すように、家具システム２０の第２の家具部分２４が第１の家具部分２２に対する閉塞位置Ｒに配置される（即ち、引出２４ａがキャビネット２２ａに対する閉塞位置Ｒに配置される）とき、作動部材５２は、捕捉部分７４を通じて第１の家具部分２２の（固定ピンのような）固定的な物体１０２を捕捉し或いは固定的な物体１０２と係合するように構成される。他方、第２のコンポーネント３０は、開放弾性部材３２を一時的に保持して開放力を蓄積するために、係合構成５０を通じて取付けベース４４の第１の制御部分４６の第１の屈曲区画４８ｂと係合するように構成される（図１７は、第２のコンポーネント３０の位置を提示するために係合構成５０のみを示している）。更に、支持部材５４の第１の支持脚６６及び作動部材５２の第２の支持脚６８は、それぞれ、第２の制御部分６０の第２の長手区画６２ａ内に位置付けられる。制動装置５９の制動ロッド１０４が、シリンダ１０６に対して引っ込められる。
【００２９】
図１７及び図１８に示すように、ユーザは、第１の方向Ｄ１に沿って閉塞位置Ｒからオーバープッシュ位置Ｐ（過剰プッシュ位置Ｐ）まで第１の家具部分２２に対して動くよう、第２の家具部分２４を押すことができる（即ち、引出２４ａは、キャビネット２２ａに対するオーバープッシュ位置Ｐに位置付けられる）。第２の家具部分２４が、第１の家具部分２２に対するオーバープッシュ位置Ｐに位置付けられるとき、開放弾性部材３２は、開放力を提供するように構成される。好ましくは、開放弾性部材３２が開放力を放出するのを可能にするために、係合構成５０は、取付けベース４４の第１の制御部分４６の第１の屈曲区画４８ｂから係合解除されて、第１の長手区画４８ａに入る。
【００３０】
図１８及び図１９に示すように、開放弾性部材３２が開放力を提供した後、第２の家具部分２４は、開放力に応答して、第１の方向Ｄ１とは反対の第２の方向Ｄ２に沿って第１の家具部分２２に対して開放位置Ｅまで移動させられることができる（即ち、引出２４ａは、キャビネット２２ａに対して開放位置Ｅに位置付けられる）。その場合には、作動部材５２が支持部材５４に対して撓まされて、第２の屈曲区画６２ｂと係合させられ、回復弾性部材３６が、相応して閉塞力を一時的に蓄積するよう、作動部材５２の第２の支持脚６８は、第２の制御部分６０の第２の長手区画６２ａを通じて第２の屈曲区画６２ｂに更に入る。その場合、作動部材５２の捕捉部分７４は、作動部材５２が撓まされる故に、第１の家具部分２２の固定的な物体１０２から取り外される。加えて、制動装置５９の制動ロッド１０４は、制動準備完了状態にあるようシリンダ１０６から延出する。好ましくは、制動装置５９の制動ロッド１０４は、作動部材５２及び／又は支持部材５４に向かって面する。
【００３１】
図２０に示すように、第２の家具部分２４が第１の家具部分２２に対する開放位置Ｅに位置付けられるとき、駆動機構２６は、第２の家具部分２４と共に開放位置Ｅに位置付けられる。その場合、作動部材５２の捕捉部分７４は、第１の家具部分２２の固定的な物体１０２から取り外される。加えて、制動装置５９の制動ロッド１０４は、シリンダ１０６から延出して、作動部材５２に向かって面する。
【００３２】
図２１及び図２２に示すように、第２の家具部分２４が第１の方向Ｄ１に沿って開放位置Ｅから閉塞位置Ｒに近い位置まで第１の家具部分２２に対して移動させられる最終プロセスの間に、作動部材５２は、捕捉部分７４を通じて、第１の家具部分２２の固定的な物体１０２を再び捕捉することができる。よって、回復弾性部材３６が閉塞力を放出するのを可能にするために、作動部材５２は、第２の支持脚６８が第２の制御部分６０の第２の屈曲区画６２ｂから第２の長手区画６２ａまで移動させられることの故に、撓まされる。
【００３３】
更に、作動部材５２及び制御部材５５は、互いに対して可動である。本実施形態において、作動部材５２は、捕捉部分７４が第１の家具部分２２の固定的な物体１０２を捕捉することの故に一時的に固定されるので、回復弾性部材３６は、第２の家具部分２４が閉塞位置Ｒに向かって第１の家具部分２２に対して移動させられる最終プロセスの間に、第２の家具部分２４に閉塞力を放出する。その場合には、第２の家具部分２４が閉塞位置Ｒに向かって移動させられる故に、保護装置３４のベース５７、制御部材５５及び遮断部材５３を、第１の方向Ｄ１に沿う所定の位置Ｘから、作動部材５２に対して移動させることができる。換言すると、制御部材５５及び作動部材５２は、互いにより近づくことができる。そのようなプロセスでは、制動ロッド１０４がシリンダ１０６内に引っ込められて制動効果を提供するよう、作動部材５２は制御部材５５と接触し、制動装置５９の制動ロッド１０４は作動部材５２に対して当接する。
【００３４】
図２２に示すように、作動部材５２が第１の家具部分２２の固定的な物体１０２を捕捉し、制御部材５５が第１の方向Ｄ１に沿って作動部材５２に近く移動させられると、作動部材５２は、制御部材５５と接触する。好ましくは、制御部材５５の第２の案内構成９６に入るように、作動部材５２の案内構成７０を案内するために、作動部材５２の第１の案内構成７０は、制御部材５５の傾斜面１００と接触する。その場合、遮断部材５３は、ベース５７に対して第１の状態Ｓ１にあり、制御部材５５は、ベース５７に対して第１の制御状態Ｃ１にある。好ましくは、作動部材５２の第１の案内構成７０が制御部材５５の傾斜面１００と接触することを通じて、制御部材５５は、もはや第１の制御状態Ｃ１にないように動くように駆動させられる。
【００３５】
図２２及び図２３に示すように、制御部材５５が第１の方向に沿って作動部材５２に近く更に移動させられるときに（即ち、第２の家具部分２４が第１の家具部分２２に対して第１の方向Ｄ１に沿って閉塞位置Ｒに移動させられるプロセスの間に）、制御部材５５の第２の案内構成９６は、第１の案内構成７０と相互作用する。具体的には、制御部材５５が作動部材５２によって駆動させられて、第１の制御状態Ｃ１から第２の制御状態Ｃ２に移動させられるよう、作動部材５２の第１の案内構成７０は、制御部材５５の第２の案内構成９６の傾斜区画９８ａに入るように案内される。遮断部材５３は、制御部材５５が第１の制御状態Ｃ１から第２の制御状態Ｃ２に更に動かされるのに応答して、第１の状態Ｓ１から第２の状態Ｓ２に更に動かされる。本実施形態において、第１の案内構成７０は突起であり、第２の案内構成９６は通路である。しかしながら、他の実施態様において、第１の案内構成７０は通路であることができ、第２の案内構成９６は突起であることができるが、本発明はそれらに限定されない。
【００３６】
図２３及び図２４に示すように、制御部材５５が作動部材５２に更に近く更に移動させられるときに（即ち、第２の家具部分２４が第１の家具部分２２に対して第１の方向Ｄ１に沿って閉塞位置Ｒまで移動させられる間に）、作動部材５２の第１の案内構成７０は、傾斜区画９８ａから制御部材５５の第２の案内構成９６の直線区画９８ａに入り、制御部材５５は、弾性部材７８の弾性力に応答して、第２の制御状態Ｃ２から第１の制御状態Ｃ１に戻ることができる。その場合には、遮断部材５３が第２の状態Ｓ２にあり、制御部材５５（並びに遮断部材５３及びベース５７）が作動部材５２に対して閉塞位置Ｒ’まで移動させられるとき（第２の家具部分２４は閉塞位置Ｒに位置付けられるように見られる）、制御部材５５（並びに遮断部材５３及びベース５７）が作動部材５２に対して第１の方向Ｄ１に沿って閉塞位置Ｒ’からオーバープッシュ位置Ｐ’まで更に移動させられるのを防止するために、作動部材５２の遮断構成７２は、遮断部材５３の遮断部分８６に対応する位置に位置付けられて、遮断部材５３を遮断する。換言すれば、第２の家具部分２４は、閉塞位置Ｒからオーバープッシュ位置Ｐまで移動させられるのが防止される。よって、開放弾性部材３２が開放力を放出するのを防止することができる。
【００３７】
図２４及び図２５に示すように、遮断部材５３は、制御部材５５が第１の制御状態Ｃ１まで動かされた後の遅延時間の期間、第２の状態Ｓ２から第１の状態Ｓ１まで動くよう弾性部材７８の弾性力によって駆動させられる。好ましくは、遮断部材５３が第２の状態Ｓ２から第１の状態Ｓ１に動くのを助けるために、間隙Ｇが作動部材５２の遮断構成７２と遮断部材５３の遮断部分８６との間に形成される。遮断部材５３が第１の状態Ｓ１にあるとき、作動部材５２の遮断構成７２は、制御部材５５（並びに遮断部材５３及びベース５７）を作動部材５２に対して第１の方向Ｄ１に沿って閉塞位置Ｒ’からオーバープッシュ位置Ｐ’まで更に移動させることができるように、遮断部材５３の遮断部分８６に対応する位置にもはや位置付けられない（作動部材５２の遮断構成７２は、遮断部材５３の遮断部分８６をもはや遮断しない）。即ち、第２の家具部分２４を閉塞位置Ｒからオーバープッシュ位置Ｐまで移動させることができる。
【００３８】
図２５及び図２６に示すように、制御部材５５（並びに遮断部材５３及びベース５７）が作動部材５２に対して第１の方向に沿って閉塞位置Ｒ’からオーバープッシュ位置Ｐ’まで移動させられる（即ち、第２の家具部分２４が、第１の方向Ｄ１に沿って閉塞位置Ｒからオーバープッシュ位置Ｐに向かって移動させられる）とき、遮断部材５３の遮断部分８６は、作動部材５２の遮断構成７２を通り過ぎることができ、作動部材５２の第１の案内構成７０は、制御部材５５の第２の案内構成９６直線区画９８ｂに更に入る。換言すると、開放弾性部材３２が開放力を放出するのを可能にするために、第２の家具部分２４を第１の方向Ｄ１に沿って閉塞位置Ｒからオーバープッシュ位置Ｐまで移動させることができる。よって、第２の家具部分２４を開放力によって駆動させて、第２の方向Ｄ２に沿って開放位置Ｅまで移動させることができる。（図２０も参照のこと。単純性のために、更なる例示は提供しない。）
【００３９】
好ましくは、図２７に示すように、作動部材５２の第１の案内構成７０が、所定の進行距離だけ、第２の案内構成９６の傾斜区画９８ａから直線区画９８ｂに入るとき、遮断部材５３は第２の状態Ｓ２にあり、制御部材５５（及びベース５７）は第１の方向Ｄ１に沿って作動部材５２に対して閉塞位置Ｒ’まで移動させられる。その場合には、補助弾性部材９４を押圧して弾性力を蓄積するために、作動部材５２及び当接部材９２は互いに接触する。
【００４０】
図２７及び図２８に示すように、補助弾性部材９４が当接部材９２に弾性力を放出すると、遮断部材５３が第２の状態Ｓ２から第１の状態Ｓ１まで移動するのを助けるために、作動部材５２と遮断部材５３との間の間隙Ｇを維持することができるよう、反力が第２の方向Ｄ２に沿って相応して生成される。（図２４及び図２５も参照のこと。単純性のために、更なる例示は提供しない。）
【００４１】
本発明は、家具システム２０のための制御方法を更に提供する。制御方法は、以下のステップを含む。
ステップＳ１０：ベース５７に取り付けられる遮断部材５３及び制御部材５５を提供するステップであって、遮断部材５３は、ベース５７に対する第１の状態Ｓ１と第２の状態Ｓ２との間で移動可能であり、制御部材５５は、ベース５７に対する第１の制御状態Ｃ１と第２の制御状態Ｃ２との間で移動可能である、ステップ。
ステップＳ２０：作動部材５２を提供するステップ。
ステップＳ３０：第２の家具部分２４が閉塞位置Ｒからオーバープッシュ位置Ｐまで移動させられるのを防止するために、第２の家具部分２４が第１の方向Ｄ１に沿って開放位置Ｅから閉塞位置Ｒに向かって移動させられるときに、作動部材５２によって遮断されるよう、遮断部材５３を第１の状態Ｓ１から第２の状態Ｓ２まで移動させるステップ。
ステップＳ４０：第２の家具部分２４が閉塞位置Ｒからオーバープッシュ位置Ｐまで移動させられるのを可能にするために、作動部材５２が第２の制御状態Ｃ２から第１の制御状態Ｃ１まで制御部材５５を駆動した後の遅延時間の期間だけ、作動部材５２によって遮断されないで遮断部材５３を第２の状態Ｓ２から第１の状態Ｓ１まで移動させるステップ。
【００４２】
従って、本発明は以下の点において特徴付けられる。
【００４３】
１．開放弾性部材３２が開放力を放出するのを防止するために、第２の家具部分２４が第１の家具部分２２に対して第１の方向Ｄ１に沿って開放位置Ｅから閉塞位置Ｒまで移動させられるときに、保護装置３４を用いて第２の家具部分２４が第１の方向Ｄ１に沿って閉塞位置Ｒからオーバープッシュ位置Ｐまで更に移動させられるのを防止することができる。換言すると、第２の家具部分２４が第２の方向Ｄ２に沿って第１の家具部分２２に対して意図せずに開放されるのを防止することができる。
【００４４】
２．第２の家具部分２４が閉塞位置Ｒからオーバープッシュ位置Ｐまで移動させられるのを可能にするために、或いは第２の家具部分２４が閉塞位置Ｒからオーバープッシュ位置Ｐまで移動させられるのを防止するために、遮断部材５３は、制御部材５５が第１の制御状態Ｃ１又は第２の制御状態Ｃ２にあるのに応答して、相応して第１の状態Ｓ１又は第２の状態Ｓ２にある。
【００４５】
当業者は、本発明の教示を維持しながら、装置及び方法の数多くの修正及び変形が行われてよいことを直ちに観察するであろう。従って、上記開示は、添付の特許請求の範囲の境界によってのみ限定されるものと解釈されるべきである。
【符号の説明】
【００４６】
２０    家具システム(furniture  system)
２２    第１の家具部分(first  furniture  part)
２２ａ  キャビネット(cabinet)
２４    第２の家具部分(second  furniture  part)
２４ａ  引出(drawer)
２６    駆動機構(driving  mechanism)
２８    第１のコンポーネント(first  component)
３０    第２のコンポーネント(second  component)
３２    開放弾性部材(open  elastic  member)
３４    保護装置(protection  device)
３６    回復弾性部材(recovery  elastic  member)
３８    案内構造(guiding  structure)
４０    接続部材(connecting  member)
４４    取付けベース(mounting  base)
４６    第１の制御部分(first  control  part)
４８ａ  第１の長手区画(first  longitudinal  section)
４８ｂ  第１の屈曲区画(first  bending  section)
５０    係合構成(engaging  feature)
５２    作動部材(actuating  member)
５３    遮断部材(blocking  member)
５４    支持部材(supporting  member)
５５    制御部材(control  member)
５６    第１の当接部分(first  abutting  part)
５７    ベース(base)
５８    第２の当接部分(second  abutting  part)
５９    制動装置(damping  device)
６０    制御部分(control  part)
６２ａ  第２の長手区画(second  longitudinal  section)
６２ｂ  第２の屈曲区画(second  bending  section)
６４    枢動構成(pivoting  feature)
６６    第１の支持脚(first  supporting  leg)
６８    第２の支持脚(second  supporting  leg)
７０    第１の案内構成(first  guiding  feature)
７２    遮断構成(blocking  feature)
７４    捕捉部分(catching  part)
７６    シャフト部材(shaft  member)
７８    弾性部材(elastic  member)
８０    巻回部分(winding  part)
８２    第１の弾性部分(first  elastic  part)
８４    第２の弾性部分(second  elastic  part)
８６    遮断部分(blocking  part)
８８    収容室(accommodating  room)
９０    リブ(lib)
９２    当接部材(abutting  member)
９４    補助弾性部材(auxiliary  elastic  member)
９６    第２の案内構成(second  guiding  feature)
９８ａ  傾斜区画(inclined  section)
９８ｂ  直線区画(linear  section)
１００  傾斜面(inclined  surface)
１０２  固定的な物体(fixed  object)
１０４  制動ロッド(damping  rod)
１０６  シリンダ(cylinder)
Ｄ１    第１の方向(first  direction)
Ｄ２    第２の方向(second  direction)
Ｅ      開放位置(open  position)
Ｆ      力(force)
Ｆ１    外力(external  force)
Ｇ      間隙(gap)
Ｌ      制動材料(damping  material)
Ｃ１    第１の制御状態(first  control  state)
Ｃ２    第２の制御状態(second  control  state)
Ｐ      オーバープッシュ位置(over-push  position)
Ｐ’    オーバープッシュ位置(over-push  position)
Ｒ      閉塞位置(close  position)
Ｒ’    閉塞位置(close  position)
Ｓ１    第１の状態(first  state)
Ｓ２    第２の状態(second  state)
【図１】
2018192232.tif 000003
【図２】
2018192232.tif 000004
【図３】
2018192232.tif 000005
【図４】
2018192232.tif 000006
【図５】
2018192232.tif 000007
【図６】
2018192232.tif 000008
【図７】
2018192232.tif 000009
【図８】
2018192232.tif 000010
【図９】
2018192232.tif 000011
【図１０】
2018192232.tif 000012
【図１１】
2018192232.tif 000013
【図１２】
2018192232.tif 000014
【図１３】
2018192232.tif 000015
【図１４】
2018192232.tif 000016
【図１５】
2018192232.tif 000017
【図１６】
2018192232.tif 000018
【図１７】
2018192232.tif 000019
【図１８】
2018192232.tif 000020
【図１９】
2018192232.tif 000021
【図２０】
2018192232.tif 000022
【図２１】
2018192232.tif 000023
【図２２】
2018192232.tif 000024
【図２３】
2018192232.tif 000025
【図２４】
2018192232.tif 000026
【図２５】
2018192232.tif 000027
【図２６】
2018192232.tif 000028
【図２７】
2018192232.tif 000029
【図２８】
2018192232.tif 000030